(57)【特許請求の範囲】
【請求項１】
掃き出しサッシ下端部の立ち上げ部から床内部にかけて止水板が埋設され、該止水板が、適宜間隔ごとに設けた接合材が床内部の鉄骨梁または鉄筋の鞘管に挿入されて鉄骨梁または鉄筋に固定され、前記接合材には止水板の設置高さや水平度を調整する調整ナットが設けられ、止水板は所定の長さの短板が長さ方向にシール材を介してつなぎ合わされて形成されたことを特徴とする構造物における掃き出しサッシ下端部の止水構造。
【請求項２】
止水板はエンボス鋼板であることを特徴とする請求項１に記載の構造物における掃き出しサッシ下端部の止水構造。
【請求項３】
鉄骨梁やスラブ鉄筋の配筋と型枠とを組み立てた後、鉄骨梁またはスラブ鉄筋に立設した鞘管に止水板の接合材を挿入し、該接合材に設けた調整ナットで高さおよび水平度を調整した止水板を、掃き出しサッシ下端部の立ち上げ部から床内部にかけた箇所に設置した後、前記型枠にコンクリートを打設することを特徴とする構造物における掃き出しサッシ下端部の止水構造の構築方法。
【発明の詳細な説明】
【０００１】
【発明の属する技術分野】
本発明は鉄筋コンクリートまたは鉄骨鉄筋コンクリート構造物における掃き出しサッシ下端部の止水構造およびその構築方法に関するものである。
【０００２】
【従来の技術】
鉄筋コンクリート構造物または鉄骨鉄筋コンクリート構造物のマンションにおける掃き出しサッシ下端部の止水方法として、床コンクリートの打設時に同時打ちで立て上げ部を構築するか、あるいはバルコニーと室内側とに段差をつける方法がとられている。しかし前者は浮かし型枠となり、かつその高さがわずかしかないため精度が出し難しかった。一方、後者は鉄骨鉄筋コンクリート構造物には形成できないという問題があった。そのため立ち上げ部を後打ちもしくは防水モルタルで構築する場合が多くなっている。この後打ちの場合は、図６に示すように、床コンクリート２３を打設した後、該コンクリート２３に止水板２４を突き刺して立ち上げ部２５のコンクリート２６を打設していた。
【０００３】
【発明が解決しようとする課題】
しかし、上記のような後打ちの場合は、止水板の床コンクリートへの突き刺しが難しく、かつ止水板を打設したばかりの床コンクリートで支えているため、立ち上げ部のコンクリートを打設するときに位置ずれや傾きを起こしてしまうという問題があった。
【０００４】
本発明は、このような問題に鑑みてなされたものであり、その目的は、止水板を掃き出しサッシ下端部における立ち上げ部に精度良く設置できる止水構造およびその構築方法を提供することである。
【０００５】
【課題を解決するための手段】
以上の課題を解決するための手段である構造物における掃き出しサッシ下端部の止水構造は、掃き出しサッシ下端部の立ち上げ部から床内部にかけて止水板が埋設され、該止水板が、適宜間隔ごとに設けた接合材が床内部の鉄骨梁または鉄筋の鞘管に挿入されて鉄骨梁または鉄筋に固定され、前記接合材には止水板の設置高さや水平度を調整する調整ナットが設けられ、止水板は所定の長さの短板が長さ方向にシール材を介してつなぎ合わされて形成されたことを特徴とする。また止水板はエンボス鋼板であることを含むものである。
また構造物における掃き出しサッシ下端部の止水構造の構築方法は、鉄骨梁やスラブ鉄筋の配筋と型枠とを組み立てた後、鉄骨梁またはスラブ鉄筋に立設した鞘管に止水板の接合材を挿入し、該接合材に設けた調整ナットで高さおよび水平度を調整した止水板を、掃き出しサッシ下端部の立ち上げ部から床内部にかけた箇所に設置した後、前記型枠にコンクリートを打設することを特徴とする。
【０００６】
止水板が鉄骨梁で固定されているので、コンクリートを打設する際にずれたり、あるいは傾いたりせずに、所定の箇所に確実かつ精度良く設置することができる。また止水板が鞘管で設置できるので、熟練技術者を必要とせずに現場において誰でも簡単に設置することができる。また短板を繋ぎ合わせて止水板を形成することにより、現場において立ち上げ部の長さに応じて形成できる。また止水板がサッシアンカーを兼用することができる。
【００２１】
【発明の実施の形態】
以下、本発明の構造物における掃き出しサッシ下端部の止水構造およびその構築方法の実施の形態を図面に基づいて説明する。本実施の形態においては鉄骨鉄筋コンクリート構造物における掃き出しサッシ下端部の止水構造およびその構築方法について説明する。
【００２２】
図１は鉄骨鉄筋コンクリート構造物のバルコニーの断面図、図２は前記バルコニーの拡大断面図である。
【００２３】
掃き出しサッシ下端部の止水構造１は、図１に示すように、立ち上げ部２から床内部３にかけて埋設された止水板４が鉄筋などの接合材５により鉄骨梁６に固定されている。
【００２４】
止水板４は、図３に示すようにエンボス鋼板であり、適宜間隔ごとに設けた接合材５が鉄骨梁６における上部フランジ７の鞘管８に嵌合されて、確実かつ精度良く固定されている。したがってコンクリート９との付着力が大きく、従来の止水構造よりも止水性能が高くなっている。また接合材５には調整ナット１０が螺合され、これにより止水板４の設置高さおよび水平度を調整する。また止水板４は１枚板であっても良いが、図５に示すような短板４ａ、４ｂを繋ぎ合わせて形成することもできる。
【００２５】
図５の（１）は、互いの短板４ａ、４ｂの端部における凹部１１、１２に、互いの短板４ａ、４ｂの嵌合端部１３、１４を嵌合した止水板４であり、凹部１１、１２に設けたシール材１５で止水性を高めている。また同図の（２）および（３）は、一方の短板４ａの端部に設けた突起１６、１７に、他方の短板４ｂの嵌合凹片１８、１９を嵌め合わせて形成した止水板４であり、（２）の突起１６が平面円形であるのに対して、（３）の突起１７が平面角形である点が異なっている。この止水板４も前記と同様の止水性を有している。また、この止水板４にサッシ枠のアンカー筋２２ｂを溶接などで取り付けることもできる。
【００２６】
次に、一枚板の止水板を使用した止水構造の構築方法について説明する。はじめに鉄鋼梁６やスラブ鉄筋２０を配筋して型枠を組み立てるが、立ち上げ部の型枠も同時に組み立てるものとする（図示せず）。
【００２７】
そして、図２および３に示すように、鉄骨梁６の上部フランジ７に、固定板２１に立設した鞘管８を溶接などで設置し、これらの鞘管８に止水板４の接合材５を挿入する。この後に接合材５の調整ナット１０を操作して、止水板４の高さおよび水平度を調整し、該止水板４を床面２２と立ち上げ部２との境に設置する。なお、止水板４を図５の短板４ａ、４ｂで繋ぎ合わせて形成する場合は、最初から短板４ａ、４ｂ同士を繋ぎ合わせて止水板４を形成して設置する他、短板４ａ、４ｂを１枚づつ設置しながら繋ぎ合わせて形成する方法とがある。
【００２８】
上記のように止水板４を設置した後に、前記型枠内にコンクリート９を打設すると、床面２２と立ち上げ部２との境に止水板４が設置された止水構造１が構築される。このように止水板４が鉄骨梁６で固定されているので、コンクリート９を打設する際に、ずれたりあるいは傾いたりせずに、所定の箇所に確実かつ精度良く設置することができる。また止水板４を鞘管８で設置できるので、熟練技術者を必要とせずに現場において誰でも簡単に設置することができる。さらに短板４ａ、４ｂを繋ぎ合わせて止水板４を形成することにより、現場において立ち上げ部２の長さに応じて形成できる。
【００２９】
なお、本実施の形態においては、鉄骨鉄筋コンクリート構造物の止水構造およびその構築方法について説明したが、鉄筋コンクリート構造物においても同じ構造および同じ構築方法で行われる。この場合、鞘管８は鉄筋に設置するものとする（図示せず）。
【００３０】
【発明の効果】
止水板が鉄材に固定されていることにより、立ち上げ部から床内部にかけての設置精度が高くなる。
【００３１】
鉄筋コンクリート構造物または鉄骨鉄筋コンクリート構造物における掃き出しサッシ下端部を精度の良い止水構造とすることができる。
【００３２】
止水板のコンクリートとの付着力が大きくなる。
【００３３】
止水板を、所定の長さの短板をつなぎ合わせて形成したので、現場に運搬しやすく、かつ現場施工も容易になる。
【００３４】
止水板の垂直精度を高めることができる。
【００３５】
止水板の設置が簡単にでき、かつ設置精度を高めることができる。
【００３６】
止水板の高さおよび水平度の調整が現場において簡単にできる。
【００３７】
立ち上げ部のコンクリートを型枠内に打設するときに止水板がずれたり、あるいは傾いたりせずに、確実かつ精度良く設置することができる。また止水板がサッシアンカーを兼用することができるので効果的である。さらに、鉄筋を配筋して型枠をセットした後にセットすることができるので、他の作業の妨げにならない。
【図面の簡単な説明】
【図１】鉄骨鉄筋コンクリート構造物のバルコニーの断面図である。
【図２】バルコニーの拡大断面図である。
【図３】鉄骨梁の上部フランジに止水板を設置する斜視図である。
【図４】止水板の正面図である。
【図５】（１）〜（３）は短板を繋ぎ合わせて形成した止水板の平面図である。
【図６】従来の止水構造の断面図である。
【符号の説明】
１  止水構造
２、２５  立ち上げ部
３  床内部
４、１２  止水板
４ａ  短板
５  接合材
６  鉄骨梁
７  上部フランジ
８  鞘管
９、２６  コンクリート
１０  調整ナット
１１、１２  凹部
１３、１４  嵌合端部
１５  シール材
１６、１７  突起
１８、１９  嵌合凹片
２０  スラブ鉄筋
２１  固定板
２２  床面
２３  床コンクリート
【図１】
0003776254.tif 000002
【図２】
0003776254.tif 000003
【図３】
0003776254.tif 000004
【図４】
0003776254.tif 000005
【図５】
0003776254.tif 000006
【図６】
0003776254.tif 000007